(57)【要約】【課題】小型かつ簡素な構成で表示画面が設けられた表示部を支持すること。【解決手段】画像を表示する表示画面が設けられた平板状の表示部１１０と、屈曲された棒材から構成され、一端が表示部１１０の背面に設けられた孔に下側から挿入され、表示部１１０の下端と載置面との間に配置され、表示部１１０を下側から支持する支持部１２０と、を備える。【選択図】図１
2011158635.tif 000002
【特許請求の範囲】
【請求項１】
画像を表示する表示画面が設けられた平板状の表示部と、
屈曲された棒材から構成され、一端が前記表示部の背面に設けられた孔に下側から挿入され、前記表示部の下端と載置面との間に配置され、前記表示部を下側から支持する支持部と、
を備える、表示装置。
【請求項２】
前記支持部は、前記載置面と当接する部位がＵ字形状からなる、請求項１に記載の表示装置。
【請求項３】
前記表示部の背面に設けられた孔は、鉛直方向に対して異なる角度を有する複数の孔を含み、前記支持部の一端を異なる孔に挿入することで、前記表示部のチルト角を変更可能とした、請求項１に記載の表示装置。
【請求項４】
前記支持部は、前記表示部の左右の２箇所に設けられ、鉛直方向に対して同じ角度を有する２つの孔に前記支持部を挿入するため、前記支持部の間隔を規定するピッチ調整バーを備える、請求項３に記載の表示装置。
【請求項５】
前記表示部の背面には、前記表示部に対してチルト方向に回動可能なヒンジが設けられ、前記支持部の一端が前記ヒンジに設けられた孔に挿入される、請求項１に記載の表示装置。
【発明の詳細な説明】
【技術分野】
【０００１】
本発明は、表示装置に関する。
【背景技術】
【０００２】
従来、例えば下記の特許文献１，２，３に記載されているように、薄型の表示装置の下部にスタンドを設けて、表示パネルを支持する構造が知られている。
【先行技術文献】
【特許文献】
【０００３】
【特許文献１】特開２００８−１２９３９０号公報
【特許文献２】特開２００８−１３６１６０号公報
【特許文献３】特開２００９−１２２２７４号公報
【発明の概要】
【発明が解決しようとする課題】
【０００４】
しかしながら、上記特許文献に記載された技術では、表示画面が設けられた表示部を支持するために、比較的大きなスタンドが必要となる。このため、表示装置の製造コストが増大するという問題が生じる。また、ユーザの視野には、表示画面外の大きなスタンドが視認されてしまうため、表示画面の視認性が低下する問題がある。
【０００５】
更に、製品出荷時等においては、表示画面が設けられた装置本体とともにスタンドを梱包する必要があるが、スタンドが大型になると、梱包後の体積が増大し、輸送効率が低下する問題が生じている。
【０００６】
そこで、本発明は、上記問題に鑑みてなされたものであり、本発明の目的とするところは、小型かつ簡素な構成で表示画面が設けられた表示部を支持することが可能な、新規かつ改良された表示装置を提供することにある。
【課題を解決するための手段】
【０００７】
上記課題を解決するために、本発明のある観点によれば、画像を表示する表示画面が設けられた平板状の表示部と、屈曲された棒材から構成され、一端が前記表示部の背面に設けられた孔に下側から挿入され、前記表示部の下端と載置面との間に配置され、前記表示部を下側から支持する支持部と、を備える、表示装置が提供される。
【０００８】
また、前記支持部は、前記載置面と当接する部位がＵ字形状からなるものであってもよい。
【０００９】
また、前記表示部の背面に設けられた孔は、鉛直方向に対して異なる角度を有する複数の孔を含み、前記支持部の一端を異なる孔に挿入することで、前記表示部のチルト角を変更可能としたものであってもよい。
【００１０】
また、前記支持部は、前記表示部の左右の２箇所に設けられ、鉛直方向に対して同じ角度を有する２つの孔に前記支持部を挿入するため、前記支持部の間隔を規定するピッチ調整バーを備えるものであってもよい。
【００１１】
また、前記表示部の背面には、前記表示部に対して回動可能なヒンジが設けられ、前記支持部の一端が前記ヒンジに設けられた孔に挿入されるものであってもよい。
【発明の効果】
【００１２】
本発明によれば、小型かつ簡素な構成で表示画面が設けられた表示部を支持することが可能な表示装置を提供することができる。
【図面の簡単な説明】
【００１３】
【図１】本発明の一実施形態にかかる表示装置の全体構成を示す模式図である。
【図２】本発明の一実施形態にかかる表示装置の全体構成を示す模式図である。
【図３】本発明の一実施形態にかかる表示装置の全体構成を示す模式図である。
【図４】本発明の一実施形態にかかる表示装置の全体構成を示す模式図である。
【図５】本発明の一実施形態にかかる表示装置の全体構成を示す模式図である。
【図６】表示装置を正面から見た場合に、支持部の付近を拡大して示す模式図である。
【図７】支持部を上側から見た状態を示す模式図である。
【図８】表示装置の背面を示す図であって、支持部の挿入部が表示装置に挿入されている様子を示す模式図である。
【図９】表示装置の背面に傾斜の異なる２つの孔を設けた例を示す模式図である。
【図１０】表示部内に設けられるパネル板と、孔との位置関係を示す模式図である。
【図１１】支持プレートのパネル板側の面を示す模式図である。
【図１２】表示装置を箱に梱包する際に、表示部を保持する発砲スチロールに支持部が取り付けられた様子を示す模式図である。
【図１３】表示部と支持部を右側面から見た状態を模式化して示す図である。
【図１４】表示部と支持部を右側面から見た状態を模式化して示す図である。
【図１５Ａ】クッション材の配置を示す図である。
【図１５Ｂ】クッション材の配置を示す図である。
【図１６】支持部に設けられた取り付け穴と、クッション材の構成を示す斜視図である。
【図１７】支持部及びクッション材の断面を示す模式図である。
【図１８】表示装置の背面を示す図である。
【図１９】左右の支持部を一体とし、１つの挿入部を表示部の中心近傍の孔に挿入した例を示す模式図である。
【図２０】チルト機構の構成例を示す模式図である。
【図２１】チルト機構を設けた場合の支持プレート１１４の構成例を示す模式図である。
【図２２】ヒンジの構成例を示す模式図である。
【図２３Ａ】チルト機構により表示部がチルトする際の動作を説明するための模式図である。
【図２３Ｂ】チルト機構により表示部がチルトする際の動作を説明するための模式図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
なお、説明は以下の順序で行うものとする。
１．表示装置の全体構成
２．支持構造の詳細
３．チルト機構の構成例
【００１６】
＜１．表示装置の全体構成＞
図１、図２、図３、図４及び図５は、本発明の一実施形態にかかる表示装置１００の全体構成を示す模式図である。ここで、図１は表示装置１００の斜視図を、図２は表示装置１００の正面図を、図３は表示装置１００を背面から見た背面図を示している。また、図４は表示装置１００の右側面図を、図５は表示装置１００を上から見た上面図を示している。
【００１７】
表示装置１００は薄い平板状に構成された表示部１１０と、表示部１１０を支持する支持部１２０を備えている。表示部１１０は、液晶表示パネル等からなる表示画面を備えている。支持部１２０は、屈曲されたパイプ（シャフト）から構成されている。支持部１２０は、表示装置１００を正面から見て左右に１つずつ配置され、計２つ配置されている。
【００１８】
＜２．支持構造の詳細＞
図６は、表示装置１００を正面から見た場合に、支持部１２０の付近を拡大して示す模式図である。図７は、支持部１２０を上側から見た状態を示す模式図である。それぞれの支持部１２０は、表示装置１００が載置される床面と当接する当接部１２２と、表示部１１０の背面に設けられた孔に挿入される挿入部１２４とを備えている。当接部１２２の下面は表示装置１００が載置される床面と当接し、また、図６に示すように、当接部１２２の上面は表示部１１０の下部の端面が当接する。これにより、表示部１１０の下部の端面と床面との間には、支持部１２０を構成するパイプの直径に相当する隙間が生じる。
【００１９】
図７に示すように、支持部１２０の当接部１２２は、上面から見るとＵ字形の形状をしている。挿入部１２４は、当接部１２２が成す面（床面）に対して垂直に形成され、上方に伸びている。当接部１２２をＵ字形状としたことにより、支持部１２０を安定して床面に載置することができる。
【００２０】
図８は、表示装置１００の背面を示す図であって、支持部１２０の挿入部１２４が表示装置１００に挿入されている様子を示す模式図である。表示装置１００には、挿入部１２４に対応する孔１１６が設けられており、挿入部１２４は孔１０２に対して下側から挿入される。図８に示す例では、表示部１１０の背面に固定される支持プレート１１４に孔１１６が設けられている。
【００２１】
このように、支持部１２０を屈曲したパイプから構成し、左右２つの支持部１２０で表示部１１０を支持するようにしたため、非常に簡素な構成で確実に表示部１１０を支持することが可能である。
【００２２】
図９は、表示装置１００の背面に傾斜の異なる２つの孔１１６，１１８を設けた例を示す模式図である。図９の例では、支持部１２０の挿入部１２４を孔１１６に挿入した場合と、挿入部１２４を孔１１８に挿入した場合とで、表示部１１０のチルト角度を変更することができる。一例として、挿入部１２４を孔１１６に挿入した場合は、チルト角を０°とすることができ、挿入部１２４を孔１１８に挿入した場合は、チルト角を６°とすることができる。
【００２３】
図９に示すように、左右の支持部１２０には、パイプピッチ調整バー１４０が連結されている。パイプピッチ調整バー１４０は、長手方向にスライド可能な２つのバー１４０ａ，１４０ｂを備え、左右の支持部１２０と連結される両端の連結部１４６の間隔を、２つの孔１１６の間隔、または２つの孔１１８の間隔のいずれか一方に対応する長さに設定することができる。これにより、左右の支持部１２０を孔１１６と孔１１８のいずれか一方に挿入することができる。また、図８に示すように、表示部１１０の下部には、支持部１２０と当接する位置にクッション材１５０が挿入されている。
【００２４】
図１０は、表示部１１０内に設けられるパネル板１１９と、孔１１６，１１８との位置関係を示す模式図である。パネル板１１９は、液晶表示パネルの背後に取り付けられ、回路基板等が取り付けられるものである。また、パネル板１１９は、金属性の板からなり、表示部１１０の補強する機能を有する。パネル板１１９には、プレス加工により、補強のためのリブ１１９ａ，１１９ｂ，１１９ｃが複数設けられている。孔１１６，１１８は、縦方向のリブ１１９ａの位置に対応して設けられている。これにより、支持部１２０を表示部１１０の剛性の高い位置に取り付けることができ、表示部１１０を安定して支持することが可能である。
【００２５】
図１１は、支持プレート１１４のパネル板１４０側の面を示す模式図である。図１１に示すように、支持プレート１１４のパネル板１４０側の面には、孔１１６，１１８に沿って補強のためのリブ１１４ａが設けられている。また、支持プレート１１４の上端に沿って、２つのリブ１１４ａを接続するリブ１１４ｂが設けられている。このような構成によれば、孔１１６，１１８の付近の支持プレート１１４の剛性をより高めることができ、表示部１１０を安定して支持することが可能である。
【００２６】
図１２は、表示装置１００を箱に梱包する際に、表示部１１０を保持する発砲スチロールに支持部１２０が取り付けられた様子を示す模式図である。このように、本実施形態では、支持部１２０を屈曲させたパイプから構成したため、梱包する箱の大きさ、特に表示部１１０の厚さ方向の大きさを最小限に抑えた状態で梱包することが可能となる。これにより、出荷時等において、より少ない容積でより多くの表示装置１００を運搬することが可能であり、輸送コストを大幅に低減することができる。
【００２７】
図１３及び図１４は、表示部１１０と支持部１２０を右側面から見た状態を模式化して示す図である。上述したように、表示部１１０の下端と支持部１２０との間には、クッション材１３０が配置されている。また、支持部１２０の下面には、クッション材１５０が配置されている。このような構成により、表示装置１００を水平方向に移動した際においても、支持部１２０と床面との間にクッション材１５０が介在しているため、移動をスムーズに行うことができ、また、床面に傷がつくことを回避できる。
【００２８】
図１５Ａ及び図１５Ｂは、クッション材１５０の配置を示す図であって、図１５Ａは支持部１２０を斜め上方から見た状態を示している。また、図１５Ｂは支持部１２０を斜め下方から見た状態を示している。図１５Ａ及び図１５Ｂに示す例では、４つのクッション材１５０が支持部１２０に取り付けられている。
【００２９】
また、図１６は、支持部１２０に設けられた取り付け穴１２６と、クッション材１５０の構成を示す斜視図である。また、図１７は、支持部１２０及びクッション材１５０の断面を示す模式図である。クッション材１５０には、取り付け穴１２６に挿入される挿入部１５２が設けられている。また、挿入部１５２には、返し形状部１５４が設けられている。返し形状部１５４を設けたことにより、クッション材１５０が支持部１２０から外れてしまうことを確実に抑止することができる。
【００３０】
クッション材１５０の材質としては、ポリアセタール樹脂（ＰＯＭ：ポリオキシメチレン）などの樹脂材料を用いることができる。また、スタンドのクッションとしてはシリコンゴムを用いることができる。
【００３１】
なお、図１４に示すように、表示装置１００の音声を発するスピーカ１０２は、表示部１１０の下部に配置され、筐体の前カバー１０４の背後に配置されている。このような構成により、スピーカ１０２がユーザに視認されることがなく、視覚的なデザインの質を高めることができる。
【００３２】
図１８は、表示装置１００の背面を示す図であって、支持部１２０の他の例を示している。図１８に示す例では、支持部１２０の当接部１２２と挿入部１２４との間に斜め方向に延在する接続部１２８が設けられている。図１８に示す構成においても、支持部１２０は左右に２つ設けられるため、表示部１２０を安定して支持することが可能である。
【００３３】
また、図１９は、左右の支持部１２０を一体とし、１つの挿入部１２４を表示部の中心近傍の孔に挿入した例を示している。このように、支持部１２０の数は２つに限定されるものではなく、１つ、または３つ以上の支持部１２０を設けてもよい。
【００３４】
＜３．チルト機構の構成例＞
次に、表示装置１００の表示部１１０をチルトさせるためのチルト機構について説明する。図２０は、チルト機構の構成例を示す模式図である。また、図２１は、チルト機構を設けた場合の支持プレート１１４の構成例を示す模式図であり、図２２はヒンジ１８０の構成例を示す模式図である。
【００３５】
チルト機構は、支持プレート１１４に対して回動可能なヒンジ１８０を設けることによって構成される。ヒンジ１８０には、支持部１２０の挿入部１２４が挿入される孔１８２が設けられている。
【００３６】
ヒンジ１８０には、支持プレート１１４の挿入孔１１４ｄに対して挿入されるシャフト１８４が設けられている。また、ヒンジ１８０は、ポリアセタール樹脂などの樹脂材料から構成されている。シャフト１８４は、鉄（ＳＴＥＥＬ）などの金属製であり、ヒンジ１８０に対して回動可能とされている。シャフト１８４は、支持プレート１１４の挿入孔１１４ｄに対して固定される。
【００３７】
図２３Ａ及び図２３Ｂは、チルト機構により表示部１１０がチルトする際の動作を説明するための模式図である。ここで、図２３Ａは、表示部１１０がチルトしていない状態（０°ＰＯＳＩＴＩＯＮ）を示している。また、図２３Ｂは、表示部１１０が６°チルトした状態（６°ＰＯＳＩＴＩＯＮ）を示している。
【００３８】
図２３Ａに示す０°ＰＯＳＩＴＩＯＮにおいては、セット荷重を、クッション材１３０を介して支持部１２０のパイプで受けることで、チルト機構部分にかかる荷重及びトルクを軽減する。
【００３９】
また、０°ＰＯＳＩＴＩＯＮから６°ＰＯＳＩＴＩＯＮに移行する過程においては、ユーザの操作力により、ヒンジ１８０とシャフト１８４の鉄（STEEL）とＰＯＭの界面が回転する。これに伴い、表示部１１０は自重による垂直移動をし、孔１８２に対して挿入部１２４の位置がスライドする。この際、ヒンジ１８０はPOM製であり、支持部１２０の挿入部１２４のパイプは金属製であるため、孔１８２に対して挿入部１２４が摺動し、表示部１１０は抵抗なく垂直移動する。また、ヒンジ１８０のシャフト１８４はスチール製であり、ヒンジ１８０はＰＯＭ性であるため、シャフト１８４とヒンジ１８０の界面により操作トルクを出すことができる。また、チルトに伴い、表示部１１０の下面に装着されたクッション材１３０が支持部１２０のパイプ上をスライドするため、摩擦力(パイプ‐セット)による抵抗により操作トルクを出すことができる。このように、チルト時においてもセット荷重をパイプで受けるように表示部１１０が垂直移動をするため、表示部１１０の自重を利用してチルト操作力を実現することができる。
【００４０】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００４１】
例えば、上記実施形態では、２本のパイプ状スタンド（支持部１２０）のＵ字に屈曲している部分を表示部１１０の背面側に配置したが、Ｕ字に屈曲している部分が表示部１１０のパネル前面（表示面側）に来るようにしてもよい。また、支持部１２０を構成するパイプの断面形状は、楕円、四角など様々な形状とすることができる。更に、支持部１２０を構成するパイプの先端は丸みをおびていてもよいし、斜めにカットされていてもよい。
【符号の説明】
【００４２】
１００    表示装置
１１０    表示部
１２０    支持部
【図１】
2011158635.tif 000003
【図２】
2011158635.tif 000004
【図３】
2011158635.tif 000005
【図４】
2011158635.tif 000006
【図５】
2011158635.tif 000007
【図６】
2011158635.tif 000008
【図７】
2011158635.tif 000009
【図８】
2011158635.tif 000010
【図９】
2011158635.tif 000011
【図１０】
2011158635.tif 000012
【図１１】
2011158635.tif 000013
【図１２】
2011158635.tif 000014
【図１３】
2011158635.tif 000015
【図１４】
2011158635.tif 000016
【図１５Ａ】
2011158635.tif 000017
【図１５Ｂ】
2011158635.tif 000018
【図１６】
2011158635.tif 000019
【図１７】
2011158635.tif 000020
【図１８】
2011158635.tif 000021
【図１９】
2011158635.tif 000022
【図２０】
2011158635.tif 000023
【図２１】
2011158635.tif 000024
【図２２】
2011158635.tif 000025
【図２３Ａ】
2011158635.tif 000026
【図２３Ｂ】
2011158635.tif 000027